(57)【要約】【課題】　光ディスク記録媒体の記録面に指で触れることなく光ディスク記録媒体を収納することができ、光ディスク記録媒体を収納ケースに固定したままで光ディスク記録媒体の印刷面を見ることのできる、光ディスク記録媒体収納ケースを提供すること。【解決手段】　本発明の光ディスク記録媒体収納ケースは、光ディスク記録媒体の一方の面を覆う台紙部と、該台紙部の少なくとも一の辺に折り曲げ線を介して連接された折片とからなり、前記台紙部に光ディスク記録媒体の中心孔を固定する固定部と、光ディスク記録媒体の周縁の一部を挿入し得る切り込み部とが設けられていることを特徴とする。【選択図】 図２
2004071154.tif 000002
【特許請求の範囲】
【請求項１】
光ディスク記録媒体の一方の面を覆う台紙部と、該台紙部の少なくとも一の辺に折り曲げ線を介して連接された折片とからなる光ディスク記録媒体収納ケースであって、
　前記台紙部に光ディスク記録媒体の中心孔を固定する固定部と、光ディスク記録媒体の周縁の一部を挿入し得る切り込み部とが設けられていることを特徴とする光ディスク記録媒体収納ケース。
【請求項２】
前記固定部が、前記台紙部の一部を切り欠くことにより形成されたものである、請求項１に記載の光ディスク記録媒体収納ケース。
【請求項３】
前記固定部の切り欠きが折り曲げ可能に形成されている、請求項２に記載の光ディスク記録媒体収納ケース。
【請求項４】
前記固定部の切り欠きが、前記固定部と前記切り込み部とを結ぶ方向と垂直方向に形成された折り曲げ部によって折り曲げ可能に形成されている、請求項２に記載の光ディスク記録媒体収納ケース。
【請求項５】
前記固定部の切り欠きがＵ字形状のものである、請求項２〜４のいずれか１項に記載の光ディスク記録媒体収納ケース。
【請求項６】
前記固定部の切り欠きが、前記折り曲げ部と平行な方向に突出した形状のものである、請求項２〜５のいずれか１項に記載の光ディスク記録媒体収納ケース。
【請求項７】
前記固定部の折り曲げ部が、前記切り込み部と略平行に形成されている、請求項２〜６のいずれか１項に記載の光ディスク記録媒体収納ケース。
【請求項８】
前記固定部の折り曲げ部及び前記切り込み部が、光ディスク記録媒体収納ケース本体の底面に対し、約４５°の角度に形成されている、請求項２〜７のいずれか１項に記載の光ディスク記録媒体収納ケース。
【請求項９】
前記折り曲げ線に光ディスク記録媒体の周縁の一部が突出し得る切孔が設けられた、請求項１〜８のいずれか１項に記載の光ディスク記録媒体収納ケース。
【発明の詳細な説明】
【技術分野】
【０００１】
　本発明は、光ディスク記録媒体収納ケースに関するものであり、更に詳細には、光ディスク記録媒体の記録面に指で触れることなく光ディスク記録媒体を収納することができ、光ディスク記録媒体を収納ケースに固定したままで光ディスク記録媒体の印刷面を見ることができ、かつ容易に製造することのできる、光ディスク記録媒体収納ケースに関するものである。
【背景技術】
【０００２】
　ＣＤ−ＲＯＭ、ＣＤ−Ｒ、ＣＤ−ＲＷ、ＤＶＤ、ＤＶＤ−ＲＯＭ、ＤＶＤ−ＲＷ及びＤＶＤ−ＲＡＭ等の光ディスク記録媒体を収納するケースとしては、プラスチック製のものが知られている。このようなケースにおいては、光ディスク記録媒体の中心孔をケース本体に設けられた凸状物により固定し、蓋体によりケースを閉じるようになされている。
【０００３】
　また、従来、紙製の光ディスク記録媒体収納ケースも知られており、このような紙製の光ディスク記録媒体収納ケースとして、図１０及び図１１に示されたようなものが知られている。図１０及び図１１は、従来の光ディスク記録媒体収納ケースの展開平面図であり、以下、従来の光ディスク記録媒体収納ケースについて図１０及び図１１を参照して説明する。
【０００４】
　図１０に示す光ディスク記録媒体収納ケースにおいては、台紙部１０１に折り曲げ部１０２を介して折片１０３が連接されており、台紙部１０１には切り込み部１０５及び１０７が形成されている。また、切り込み部１０５及び１０７に光ディスク記録媒体１００を挿入することにより、光ディスク記録媒体１００が収納可能になされている（例えば、特許文献１参照。）。また、光ディスク記録媒体１００を収納した場合、光ディスク記録媒体１００の一部が切り込み部１０７から台紙部１０１の外側に露出する。これにより、直径が１２０ｍｍの光ディスク記録媒体であっても定形郵便物として容易に送付することが可能となる。
【０００５】
　また、図１１に示す光ディスク記録媒体収納ケースにおいては、台紙部１１１に折り曲げ部１１２、１１２’を介して折片１１３、１１３’が連接されており、折り曲げ部１１２及び１１２’には切孔１１５及び１１７が形成されている。また、前記折片１１３は折り曲げ部１１２で折り曲げられた状態で、台紙部１１１の折り曲げ部１１２と垂直な辺と折片１１３とが接着され、光ディスク記録媒体１１０が収納可能になされている。また、光ディスク記録媒体１１０を図１１に示す光ディスク記録媒体収納ケースに収納した場合、折り曲げ部１１２及び１１２’に形成された切孔１１５及び１１７から光ディスク記録媒体１１０の一部が露出するようになされている。これにより、直径が１２０ｍｍの光ディスク記録媒体であっても定形郵便物として容易に送付することが可能となる。
【０００６】
　上述した、図１０及び図１１に示す光ディスク記録媒体収納ケースは、厚紙等の紙で製造されており、光ディスク記録媒体を収納した場合、光ディスク記録媒体の記録面に指で触れることなく光ディスク記録媒体を取り出すことができ、また光ディスク記録媒体収納ケースに光ディスク記録媒体を収納した場合、収納する光ディスク記録媒体の直径が１２０ｍｍであっても、光ディスク記録媒体の一部が収納ケースから露出し、全体の幅が１２０ｍｍを超えないので、定形郵便物として容易に送付することができる。
【０００７】
　近年においては、光ディスク記録媒体の記録面と反対側の面に、その光ディスク記録媒体に記録されている内容や光ディスク記録媒体の提供者の広告等を印刷することが行われている。従って、光ディスク記録媒体を収納ケースに収納した際に、光ディスク記録媒体の印刷面を見ることが望まれるが、上述したような従来の光ディスク記録媒体収納ケースに光ディスクを収納した場合には、収納ケースの台紙部の一部によって印刷面が隠れてしまい見ることができない。上述した光ディスク記録媒体収納ケースに収納された光ディスク記録媒体の印刷面を見るためには光ディスク記録媒体を収納ケースから取り出す必要がある。
【０００８】
　また、上述した光ディスク記録媒体収納ケースは、切り込み部の形状が複雑であったり、光ディスク記録媒体を収納する部分の形状を形成するのが困難であり、製造コストがかかるという問題がある。
【０００９】
　従って、光ディスク記録媒体の記録面に指で触れることなく光ディスク記録媒体を収納することができ、光ディスク記録媒体を収納ケースに固定したままで光ディスク記録媒体の印刷面を見ることができ、かつ容易に製造することのできる光ディスク記録媒体収納ケースが望まれていた。
【００１０】
【特許文献１】特開２００１−１３０６７２
【発明の開示】
【発明が解決しようとする課題】
【００１１】
　従って、本発明の目的は、光ディスク記録媒体の記録面に指で触れることなく光ディスク記録媒体を収納することができ、光ディスク記録媒体を収納ケースに固定したままで光ディスク記録媒体の印刷面を見ることができ、かつ容易に製造することのできる光ディスク記録媒体収納ケースを提供することにある。
【課題を解決するための手段】
【００１２】
　前記課題を解決する本出願の第１の発明は、光ディスク記録媒体の一方の面を覆う台紙部と、該台紙部の少なくとも一の辺に折り曲げ線を介して連接された折片とからなる光ディスク記録媒体収納ケースであって、前記台紙部に光ディスク記録媒体の中心孔を固定する固定部と、光ディスク記録媒体の周縁の一部を挿入し得る切り込み部とが設けられていることを特徴とする光ディスク記録媒体収納ケースである。
【００１３】
　かかる構成とすることにより、光ディスク記録媒体を収納した場合に光ディスク記録媒体の中心孔が固定部に固定されると共に光ディスク記録媒体の周縁の一部が切り込み部に挿入されるので、収納された光ディスク記録媒体が収納ケースから落ちることがない。また、光ディスク記録媒体収納ケースを紙で製造すると、収納される光ディスク記録媒体の記録面に指で触れることなく、かつ光ディスク記録媒体を収納ケースに固定したままで光ディスク記録媒体の印刷面を見ることができる。また、収納された光ディスク記録媒体を収納ケースから取り出すのが容易である。
　また、固定部及び切り込み部の形状が複雑でないため、製造することが容易である。
【００１４】
　また、本出願の請求項２に記載の発明は、請求項１に記載の光ディスク記録媒体収納ケースにおいて、前記固定部が、前記台紙部の一部を切り欠くことにより形成されたものであることを特徴とする。
　かかる構成とすることにより、固定部を、台紙部の一部を切り欠いて形成することができるので、本発明の光ディスク記録媒体収納ケースを容易に製造することが可能である。
【００１５】
　また、本出願の請求項３に記載の発明は、請求項２に記載の光ディスク記録媒体収納ケースにおいて、前記固定部の切り欠きが折り曲げ可能に形成されていることを特徴とする。
　かかる構成とすることにより、光ディスク記録媒体を収納した際に、光ディスク記録媒体の中心孔が固定部にしっかりと固定されることになり、例えば収納ケースに光ディスク記録媒体を収納して運送する場合にも、収納ケースに収納された光ディスク記録媒体が収納ケースからずれることを防止することができる。
【００１６】
　また、本出願の請求項４に記載の発明は、請求項２に記載の光ディスク記録媒体収納ケースにおいて、前記固定部の切り欠きが、前記固定部と前記切り込み部とを結ぶ方向と垂直方向に形成された折り曲げ部によって折り曲げ可能に形成されていることを特徴とする。
　かかる構成とすることにより、光ディスク記録媒体を収納した際に、光ディスク記録媒体の中心孔が固定部に更にしっかりと固定されるので、収納ケースに収納された光ディスク記録媒体が収納ケースからずれることを防止することが可能となる。
【００１７】
　また、本出願の請求項５に記載の発明は、請求項２〜４のいずれか１項に記載の光ディスク記録媒体収納ケースにおいて、前記固定部の切り欠きがＵ字形状のものであることを特徴とする。
　かかる構成とすることにより、固定部の切り欠きがＵ字形状となっているので、切り欠きを形成するのが容易であり、固定部を容易に折り曲げることができる。また、切り欠きに角がないので、出し入れの際、光ディスク記録媒体の中心孔が引っかかりにくく光ディスク記録媒体の出し入れが容易になる。
【００１８】
　また、本出願の請求項６に記載の発明は、請求項２〜５のいずれか１項に記載の光ディスク記録媒体収納ケースにおいて、前記固定部の切り欠きが、前記折り曲げ部と平行な方向に突出した形状のものであることを特徴とする。
　かかる構成とすることにより、光ディスク記録媒体を収納した際に、収納ケースを運送する場合にも、収納ケースに収納された光ディスク記録媒体が収納ケースからずれることが防止できる。
【００１９】
　また、本出願の請求項７に記載の発明は、請求項２〜６のいずれか１項に記載の光ディスク記録媒体収納ケースにおいて、前記固定部の折り曲げ部が、前記切り込み部と略平行に形成されていることを特徴とする。
　かかる構成とすることにより、固定部が切り込み部と同一方向又は反対方向に折り曲げられるので、収納ケースに収納された光ディスク記録媒体が収納ケース内でずれることの防止効果が更に増大する。
【００２０】
　また、本出願の請求項８に記載の発明は、請求項２〜７のいずれか１項に記載の光ディスク記録媒体収納ケースにおいて、前記固定部の折り曲げ部及び前記切り込み部が、光ディスク記録媒体収納ケース本体の底面に対し、約４５°の角度に形成されていることを特徴とする。
　かかる構成とすることにより、収納ケースに収納された光ディスク記録媒体が収納ケース内でずれることの防止効果が更に増大するとともに、光ディスク記録媒体の出し入れが容易になる。
【００２１】
　また、本出願の請求項９に記載の発明は、請求項１〜８のいずれか１項に記載の光ディスク記録媒体収納ケースにおいて、前記折り曲げ線に光ディスク記録媒体の周縁の一部が突出し得る切孔が設けられたことを特徴とする。
　かかる構成とすることにより、収納ケースの台紙部に光ディスク記録媒体を収納し折片を折り曲げた際に紙の厚みの分、収納ケースの幅が広くなることを防止でき、直径が１２ｃｍの光ディスク記録媒体であっても定形郵便物で容易に郵送することが可能となる。
【発明の効果】
【００２２】
　以上詳述したように、本発明の光ディスク記録媒体収納ケースに光ディスク記録媒体を収納した場合には、光ディスク記録媒体の中心孔が固定部に固定されると共に光ディスク記録媒体の周縁の一部が切り込み部に挿入されるので、収納された光ディスク記録媒体が収納ケースから落ちることがなく、光ディスク記録媒体を収納ケースに固定したままで光ディスク記録媒体の印刷面を見ることができ、更に収納した光ディスク記録媒体を収納ケースから取り出すのが容易である。また、本発明の光ディスク記録媒体収納ケースの固定部及び切り込み部は、それらの形状が複雑でないため、製造するのが容易である。
　また、本発明の光ディスク記録媒体収納ケースに光ディスク記録媒体を収納し、光ディスク記録媒体を取り出す場合に、光ディスク記録媒体に指を触れずに光ディスク記録媒体を取り出すことが可能である。従って、両面に記録面を有する光ディスク記録媒体を収納し、記録面に指を触れずに取り出すことができる。
【発明を実施するための最良の形態】
【００２３】
　以下、本発明の光ディスク記録媒体収納ケースについて図面を参照して説明する。
　図１は、本発明の光ディスク記録媒体収納ケースの展開平面図である。
　図１に示すように、本発明の光ディスク記録媒体収納ケース１０は、光ディスク記録媒体の一方の面を覆う台紙部１１と、該台紙部１１の一の辺に折り曲げ線１２を介して連接された折片１３とからなり、台紙部１１に光ディスク記録媒体の中心孔を固定する固定部１５と、光ディスク記録媒体の周縁の一部を挿入し得る切り込み部１６とが設けられている。図１においては、台紙部１１は１枚の紙で形成されているが、本発明の光ディスク記録媒体収納ケース１０においては、台紙部１１は２枚以上の紙により形成されていてもよい。
【００２４】
　図１に示す光ディスク記録媒体収納ケースに光ディスク記録媒体を収納すると、光ディスク記録媒体の中心孔は固定部１５に固定されると共に光ディスク記録媒体の周縁の一部が切り込み部１６に挿入されるので、光ディスク記録媒体は固定部１５及び切り込み部１６で固定されるので、収納された光ディスク記録媒体が収納ケースから落ちることがない。
【００２５】
　また、図１に示す光ディスク記録媒体収納ケースは紙で製造されており、固定部１５及び切り込み部１６は、紙を切ることにより形成することができので、容易に製造することができる。また、光ディスク記録媒体の記録面に指で触れずに収納することができる。
【００２６】
　また、収納された光ディスク記録媒体は、中心孔が固定部１５に固定されると共に光ディスク記録媒体の周縁の一部が切り込み部１６に挿入されるので、光ディスク記録媒体の印刷面が収納ケースにより隠れることがなくなり、光ディスク記録媒体を収納ケースに固定したままで光ディスク記録媒体の印刷面を見ることが可能である。
　また、光ディスク記録媒体は固定部１５及び切り込み部１６により固定されているのみであり、容易に取り出すことができる。
【００２７】
　図１に示す光ディスク記録媒体収納ケース１０における前記固定部１５は、台紙部１１の一部を切り欠くことによって形成されている。また、前記固定部１５の切り欠きは折り曲げ可能に形成されている。切り欠きが折り曲げ可能に形成されていることについて図３及び図４を参照して説明する。
【００２８】
　図３及び図４は、本発明の光ディスク記録媒体収納ケースの斜視図である。図３に示す光ディスク記録媒体収納ケースにおいては固定部１５は台紙部１１の一部を切り欠くことによって形成され、折り曲げ部１７において折り曲げ可能に形成されており、固定部１５は折り曲げ部１７において折り曲げられ、台紙部１１から浮いた形状となっている。
【００２９】
　また、図４に示す光ディスク記録媒体収納ケースにおいては、固定部１５は台紙部１１の一部を切り欠くことによって形成され、折り曲げ部１７において折り曲げ可能に形成されており、固定部１５は折り曲げ部１７において折り曲げられている。図３及び図４のいずれにおいても、固定部１５は切り欠きが固定部１５と切り込み部１６とを結ぶ方向と垂直方向に形成された折り曲げ部１７によって折り曲げ可能に形成されている。
　また、図３及び図４のいずれにおいても、固定部１５は切り込み部１６と反対方向に切り欠きが形成されている。
【００３０】
　また、図１、図３及び図４に示す光ディスク記録媒体収納ケース１０においては、固定部１５はＵ字形状に形成されている。Ｕ字形状の場合には切り欠きを形成するのが容易であるとともに、角がないので、出し入れの際、光ディスク記録媒体の中心孔が引っかかりにくく光ディスク記録媒体の出し入れが容易であり、固定部１５を容易に折り曲げることが可能であるが、固定部１５の形状はＵ字形状に限定されるものではなく、どのような形状であってもよい。例えば、後述するような、固定部１５の折り曲げ部１７と平行な方向に突出した形状のものであっても、四角形等どのような形状であってもよい。
【００３１】
　図１に示す光ディスク記録媒体収納ケースにおいては、固定部１５の折り曲げ部１７及び切り込み部１６は、光ディスク記録媒体収納ケース本体の底面に対し、約４５°の角度に形成されている。固定部１５の折り曲げ部１７及び切り込み部１６の、収納ケース本体の底面に対する角度に特に制限はないが、約４５°の角度（図１点線部）に形成することにより、収納ケースに収納された光ディスク記録媒体が収納ケース内でずれることを防止する効果が増大し、収納された光ディスク記録媒体を取り出すのが容易となる。
　また、固定部１５の折り曲げ部１７の、収納ケース本体の底面に対する角度を約９０°の角度（図１実線部）に形成すれば、固定部１５が光ディスク記録媒体の中心孔に更に引っ掛かり易くなるため、収納ケースに収納された光ディスク記録媒体が収納ケース内でずれることを防止する効果が更に増大する。
【００３２】
　次に、本発明の光ディスク記録媒体収納ケースの第２の実施形態について図面を参照して説明する。図２は、本発明の光ディスク記録媒体収納ケースの展開平面図である。図２に示す光ディスク記録媒体収納ケースにおいて、図１と同じ構成要素については図１と同様の符号を付してある。図２に示す光ディスク記録媒体収納ケース１０においては、折り曲げ線１２に光ディスク記録媒体の周縁の一部が突出し得る切孔１８が設けられている。かかる切孔１８は、紙を切ることにより形成することができ、容易に製造することができる。図２に示す光ディスク記録媒体収納ケースについて、切孔１８以外の部分については図１に示す光ディスク記録媒体収納ケースと同様である。
【００３３】
　また、切孔１８を設けることにより、収納ケースの台紙部１１に光ディスク記録媒体を収納し折片１３を折り曲げた際に光ディスク記録媒体の周縁の一部が切孔１８から突出するので、紙の厚みの分、収納ケースの幅が広くなることを防止でき、直径が１２ｃｍの光ディスク記録媒体であっても定形郵便物で容易に郵送することが可能となる。
【００３４】
　次に、本発明の光ディスク記録媒体収納ケースの第３の実施形態について図面を参照して説明する。図７は、本発明の光ディスク記録媒体収納ケースの展開平面図である。図７に示す光ディスク記録媒体収納ケースにおいて、図１と同じ構成要素については図１と同様の符号を付してある。図７に示す光ディスク記録媒体収納ケース１０においては、固定部１５の切り欠きが、固定部１５の折り曲げ部１７と平行な方向に突出した形状に形成されている。図７に示すように、固定部１５の切り欠きが、固定部１５の折り曲げ部１７と平行な方向に突出した形状のものであるので、光ディスク記録媒体を収納ケースに収納した際に、光ディスク記録媒体の中心孔が固定部１５にしっかりと固定され、例えば収納ケースに光ディスク記録媒体を収納して運送する場合にも、収納ケースに収納された光ディスク記録媒体が収納ケースからずれることを防止できる。
【００３５】
　次に、本発明の光ディスク記録媒体収納ケースへの光ディスク記録媒体の収納について図面を参照して説明する。図５及び図６は、本発明の光ディスク記録媒体収納ケースに光ディスク記録媒体を収納した状態を示す図である。
　図５及び図６についても、図１と同じ構成要素については図１と同様の符号を付してある。
【００３６】
　図５は、光ディスク記録媒体２０を光ディスク記録媒体収納ケース１０に収納した状態を示す展開平面図であり、図６は、光ディスク記録媒体２０を光ディスク記録媒体収納ケース１０に収納した状態を示す斜視図であり、図６においては、折片１３を折り曲げ線１２にて折り曲げている図を示す。
【００３７】
　図５及び図６に示すように、収納された光ディスク記録媒体２０は、中心孔２１が固定部１５を折り曲げることにより固定されており、光ディスク記録媒体２０の周縁の一部が切り込み部１６に挿入されている。また、図３及び図４に示す光ディスク記録媒体１０は、折り曲げ線１２に切孔１８が設けられており、光ディスク記録媒体２０の周縁の一部が突出するようになされている。
【００３８】
　次に、本発明の光ディスク記録媒体収納ケースの第４の実施形態について図面を参照して説明する。図８は、本発明の光ディスク記録媒体収納ケースの斜視図である。図８に示す光ディスク記録媒体収納ケースにおいて、図１と同じ構成要素については図１と同様の符号を付してある。図８に示す光ディスク記録媒体収納ケース１０においては、台紙部１１が３枚設けられており、光ディスク記録媒体が３枚収納可能になされている。本発明の光ディスク記録媒体収納ケースにおいては、図８に示すように、台紙部が複数設けられており、光ディスク記録媒体が複数枚収納可能なものも含む。図８においては、台紙部は３枚設けられているが、台紙部は３枚に限定されず、４枚以上設けられ、光ディスク記録媒体が４枚以上収納可能なものも含む。
【００３９】
　上記説明においては、光ディスク記録媒体が円形の場合について説明したが、本発明の光ディスク記録媒体収納ケースにおいて収納される光ディスク記録媒体は円形のものに限定されない。例えば、図９に示すように、他の形状の光ディスク記録媒体を収納することが可能である。図９は、いわゆる名刺形状の光ディスク記録媒体２０を収納した本発明の光ディスク記録媒体収納ケースの斜視図である。図９においては名刺型光ディスク記録媒体２０を収納しているが、本発明の光ディスク記録媒体収納ケースに収納することのできる光ディスク記録媒体は円形及び名刺型に限定されず、どのような形状のものであってもよく、例えば星形やハート形等の光ディスク記録媒体を収納することも可能である。
【図面の簡単な説明】
【００４０】
【図１】本発明の光ディスク記録媒体収納ケースの展開平面図である。
【図２】本発明の光ディスク記録媒体収納ケースの展開平面図である。
【図３】本発明の光ディスク記録媒体収納ケースの斜視図である。
【図４】本発明の光ディスク記録媒体収納ケースの斜視図である。
【図５】本発明の光ディスク記録媒体収納ケースに光ディスク記録媒体を収納した状態を示す図である。
【図６】本発明の光ディスク記録媒体収納ケースに光ディスク記録媒体を収納した状態を示す図である。
【図７】本発明の光ディスク記録媒体収納ケースの展開平面図である。
【図８】本発明の光ディスク記録媒体収納ケースの斜視図である。
【図９】光ディスク記録媒体を収納した本発明の光ディスク記録媒体収納ケースの展開平面図である。
【図１０】従来の光ディスク記録媒体収納ケースの展開平面図である。
【図１１】従来の光ディスク記録媒体収納ケースの展開平面図である。
【符号の説明】
【００４１】
１０　光ディスク記録媒体収納ケース
１１　台紙部
１２　折り曲げ線
１３　折片
１５　固定部
１６　切り込み部
１７　折り曲げ部
１８　切孔
２０　光ディスク記録媒体
２１　中心孔
１００　光ディスク記録媒体
１０１　台紙部
１０２　折り曲げ部
１０３　折片
１０５　切り込み部
１０７　切り込み部
１１０　光ディスク記録媒体
１１１　台紙部
１１２　折り曲げ部
１１２’　折り曲げ部
１１３　折片
１１３’　折片
１１５　切り込み部
１１７　切り込み部
【図１】
2004071154.tif 000003
【図２】
2004071154.tif 000004
【図３】
2004071154.tif 000005
【図４】
2004071154.tif 000006
【図５】
2004071154.tif 000007
【図６】
2004071154.tif 000008
【図７】
2004071154.tif 000009
【図８】
2004071154.tif 000010
【図９】
2004071154.tif 000011
【図１０】
2004071154.tif 000012
【図１１】
2004071154.tif 000013